【手続補正書】
【提出日】平成21年11月9日(2009.11.9)
【手続補正１】
【補正対象書類名】特許請求の範囲
【補正対象項目名】全文
【補正方法】変更
【補正の内容】
【特許請求の範囲】
【請求項１】
下記の成分を含む高負荷ディーゼルエンジン用の低硫黄低リン潤滑油組成物：
（ａ）主要量の潤滑粘度の油、
（ｂ）一種もしくは二種以上の分散剤、
（ｃ）一種もしくは二種以上の酸化防止剤、および
（ｄ）一種もしくは二種以上の清浄剤、
ただし、潤滑油組成物はジアルキルジチオリン酸亜鉛を基本的に含まず、かつ０．１７５質量％を超える量の硫黄を含まず、そして潤滑油組成物はアルキル化及び非アルキル化の芳香族アミンおよび三核モリブデン化合物を含むことはない。
【請求項２】
潤滑油組成物中のジアルキルジチオリン酸亜鉛の濃度が、潤滑油組成物の全質量に基づき０．２質量％以下である請求項１に記載の潤滑油組成物。
【請求項３】
潤滑油組成物中のジアルキルジチオリン酸亜鉛の濃度が、潤滑油組成物の全質量に基づき０．１質量％以下である請求項２に記載の潤滑油組成物。
【請求項４】
潤滑油組成物中のジアルキルジチオリン酸亜鉛の濃度が、潤滑油組成物の全質量に基づき０．０質量％である請求項３に記載の潤滑油組成物。
【請求項５】
硫黄分が、潤滑油組成物の全質量に基づき０．０質量％乃至０．１７質量％の範囲にある請求項１に記載の潤滑油組成物。
【請求項６】
硫黄分が、潤滑油組成物の全質量に基づき０．０６質量％乃至０．１６５質量％の範囲にある請求項５に記載の潤滑油組成物。
【請求項７】
硫黄分が、潤滑油組成物の全質量に基づき０．０８質量％乃至０．１６質量％の範囲にある請求項６に記載の潤滑油組成物。
【請求項８】
リン分が、潤滑油組成物の全質量に基づき０．０質量％乃至０．０３質量％の範囲にある請求項１に記載の潤滑油組成物。
【請求項９】
リン分が、潤滑油組成物の全質量に基づき０．０質量％乃至０．０２質量％の範囲にある請求項８に記載の潤滑油組成物。
【請求項１０】
リン分が、潤滑油の全質量に基づき０．０質量％乃至０．０１質量％の範囲にある請求項９に記載の潤滑油組成物。
【請求項１１】
リン分が、潤滑油の全質量に基づき０．０質量％である請求項１０に記載の潤滑油組成物。
【請求項１２】
（ｄ）の一種以上の清浄剤が、過塩基性金属サリチレートでも、また過塩基性金属カルボキシレートでもない請求項１に記載の潤滑油組成物。
【請求項１３】
下記の成分を含む高負荷ディーゼルエンジン用の低硫黄低リン潤滑油組成物：
（ａ）主要量の潤滑粘度の油、
（ｂ）ホウ酸化分散剤および非ホウ酸化分散剤、
（ｃ）モリブデン含有酸化防止剤およびフェノール系酸化防止剤、および
（ｄ）低過塩基性カルシウムスルホネートおよび高過塩基性カルシウムフェネート、
ただし、潤滑油組成物はジアルキルジチオリン酸亜鉛を基本的に含まず、かつ０．１７
５質量％を超える量の硫黄を含まず、そして潤滑油組成物はアルキル化及び非アルキル化の芳香族アミンおよび三核モリブデン化合物を含むことはない。
【請求項１４】
潤滑油組成物中のジアルキルジチオリン酸亜鉛の濃度が、潤滑油組成物の全質量に基づき０．２質量％以下である請求項１３に記載の潤滑油組成物。
【請求項１５】
潤滑油組成物中のジアルキルジチオリン酸亜鉛の濃度が、潤滑油組成物の全質量に基づき０．１質量％以下である請求項１４に記載の潤滑油組成物。
【請求項１６】
潤滑油組成物中のジアルキルジチオリン酸亜鉛の濃度が、潤滑油組成物の全質量に基づき０．０質量％である請求項１５に記載の潤滑油組成物。
【請求項１７】
硫黄分が、潤滑油組成物の全質量に基づき０．０質量％乃至０．１７質量％の範囲にある請求項１３に記載の潤滑油組成物。
【請求項１８】
硫黄分が、潤滑油組成物の全質量に基づき０．０６質量％乃至０．１６５質量％の範囲にある請求項１７に記載の潤滑油組成物。
【請求項１９】
硫黄分が、潤滑油組成物の全質量に基づき０．０８質量％乃至０．１６質量％の範囲にある請求項１８に記載の潤滑油組成物。
【請求項２０】
リン分が、潤滑油組成物の全質量に基づき０．０質量％乃至０．０３質量％の範囲にある請求項１３に記載の潤滑油組成物。
【請求項２１】
リン分が、潤滑油組成物の全質量に基づき０．０質量％乃至０．０２質量％の範囲にある請求項２０に記載の潤滑油組成物。
【請求項２２】
リン分が、潤滑油組成物の全質量に基づき０．０質量％乃至０．０１質量％の範囲にある請求項２１に記載の潤滑油組成物。
【請求項２３】
リン分が、潤滑油組成物の全質量に基づき０．０質量％である請求項２２に記載の潤滑油組成物。
【請求項２４】
基本的に下記の成分からなる高負荷ディーゼルエンジン用の低硫黄低リン潤滑油組成物：
（ａ）主要量の潤滑粘度の油、
（ｂ）一種もしくは二種以上の分散剤、
（ｃ）一種もしくは二種以上の酸化防止剤、
（ｄ）一種もしくは二種以上の清浄剤、および
（ｅ）一種もしくは二種以上の粘度指数向上剤、無灰硫黄極圧剤、アルカリ土類金属及びアルカリ金属ホウ酸化極圧剤、モリブデン含有極圧剤、流動点降下剤、さび止め添加剤、腐食防止剤、灰分含有摩擦緩和剤、無灰摩擦緩和剤、モリブデン含有摩擦緩和剤、金属不活性化剤、シール膨潤剤、抗乳化剤および消泡剤から選ばれる添加剤、
ただし、潤滑油組成物はジアルキルジチオリン酸亜鉛を基本的に含まず、かつ０．１７５質量％を超える量の硫黄を含まず、そして潤滑油組成物はアルキル化及び非アルキル化の芳香族アミンおよび三核モリブデン化合物を含むことはない。
【請求項２５】
潤滑油組成物中のジアルキルジチオリン酸亜鉛の濃度が、潤滑油組成物の全質量に基づき０．２質量％以下である請求項２４に記載の潤滑油組成物。
【請求項２６】
潤滑油組成物中のジアルキルジチオリン酸亜鉛の濃度が、潤滑油組成物の全質量に基づき０．１質量％以下である請求項２５に記載の潤滑油組成物。
【請求項２７】
潤滑油組成物中のジアルキルジチオリン酸亜鉛の濃度が、潤滑油組成物の全質量に基づき０．０質量％である請求項２６に記載の潤滑油組成物。
【請求項２８】
硫黄分が、潤滑油組成物の全質量に基づき０．０質量％乃至０．１７質量％の範囲にある請求項２４に記載の潤滑油組成物。
【請求項２９】
硫黄分が、潤滑油組成物の全質量に基づき０．０６質量％乃至０．１６５質量％の範囲にある請求項２８に記載の潤滑油組成物。
【請求項３０】
硫黄分が、潤滑油組成物の全質量に基づき０．０８質量％乃至０．１６質量％の範囲にある請求項２９に記載の潤滑油組成物。
【請求項３１】
リン分が、潤滑油組成物の全質量に基づき０．０質量％乃至０．０３質量％の範囲にある請求項２４に記載の潤滑油組成物。
【請求項３２】
リン分が、潤滑油組成物の全質量に基づき０．０質量％乃至０．０２質量％の範囲にある請求項３１に記載の潤滑油組成物。
【請求項３３】
リン分が、潤滑油組成物の全質量に基づき０．０質量％乃至０．０１質量％の範囲にある請求項３２に記載の潤滑油組成物。
【請求項３４】
リン分が、潤滑油組成物の全質量に基づき０．０質量％である請求項３３に記載の潤滑油組成物。
【請求項３５】
（ｄ）の一種もしくは二種以上の清浄剤が、過塩基性金属サリチレートでも、また過塩基性金属カルボキシレートでもない請求項２４に記載の潤滑油組成物。
【請求項３６】
基本的に下記の成分からなる高負荷ディーゼルエンジン用の低硫黄低リン潤滑油組成物：
（ａ）主要量の潤滑粘度の油、
（ｂ）ホウ酸化分散剤および非ホウ酸化分散剤、
（ｃ）モリブデン含有酸化防止剤およびフェノール系酸化防止剤、
（ｄ）低過塩基性カルシウムスルホネートおよび高過塩基性カルシウムフェネート、および
（ｅ）一種もしくは二種以上の、（ｂ）に挙げたものとは異なる分散剤、（ｃ）に挙げたものとは異なる酸化防止剤、（ｄ）に挙げたものとは異なる清浄剤、粘度指数向上剤、無灰硫黄極圧剤、アルカリ土類金属及びアルカリ金属ホウ酸化極圧剤、モリブデン含有極圧剤、流動点降下剤、さび止め添加剤、腐食防止剤、灰分含有摩擦緩和剤、無灰摩擦緩和剤、モリブデン含有摩擦緩和剤、金属不活性化剤、シール膨潤剤、抗乳化剤および消泡剤から選ばれる添加剤、
ただし、潤滑油組成物はジアルキルジチオリン酸亜鉛を基本的に含まず、かつ０．１７５質量％を超える量の硫黄を含まず、そして潤滑油組成物はアルキル化及び非アルキル化の芳香族アミンおよび三核モリブデン化合物を含むことはない。
【請求項３７】
潤滑油組成物中のジアルキルジチオリン酸亜鉛の濃度が、潤滑油組成物の全質量に基づき０．２質量％以下である請求項３６に記載の潤滑油組成物。
【請求項３８】
潤滑油組成物中のジアルキルジチオリン酸亜鉛の濃度が、潤滑油組成物の全質量に基づき０．１質量％以下である請求項３７に記載の潤滑油組成物。
【請求項３９】
潤滑油組成物中のジアルキルジチオリン酸亜鉛の濃度が、潤滑油組成物の全質量に基づき０．０質量％である請求項３８に記載の潤滑油組成物。
【請求項４０】
硫黄分が、潤滑油組成物の全質量に基づき０．０質量％乃至０．１７質量％の範囲にある請求項３６に記載の潤滑油組成物。
【請求項４１】
硫黄分が、潤滑油組成物の全質量に基づき０．０６質量％乃至０．１６５質量％の範囲にある請求項４０に記載の潤滑油組成物。
【請求項４２】
硫黄分が、潤滑油組成物の全質量に基づき０．０８質量％乃至０．１６質量％の範囲にある請求項４１に記載の潤滑油組成物。
【請求項４３】
リン分が、潤滑油組成物の全質量に基づき０．０質量％乃至０．０３質量％の範囲にある請求項３６に記載の潤滑油組成物。
【請求項４４】
リン分が、潤滑油組成物の全質量に基づき０．０質量％乃至０．０２質量％の範囲にある請求項４３に記載の潤滑油組成物。
【請求項４５】
リン分が、潤滑油組成物の全質量に基づき０．０質量％乃至０．０１質量％の範囲にある請求項４４に記載の潤滑油組成物。
【請求項４６】
リン分が、潤滑油組成物の全質量に基づき０．０質量％である請求項４５に記載の潤滑油組成物。
【請求項４７】
（ｅ）の一種もしくは二種以上の清浄剤が、過塩基性金属サリチレートでも過塩基性金属カルボキシレートでもない請求項３６に記載の潤滑油組成物。
【請求項４８】
下記の成分を含む高負荷ディーゼルエンジン用の低硫黄低リン潤滑油濃縮物：
（ａ）主要量の潤滑粘度の油、
（ｂ）一種もしくは二種以上の分散剤、
（ｃ）一種もしくは二種以上の酸化防止剤、および
（ｄ）一種もしくは二種以上の清浄剤、
ただし、潤滑油濃縮物はジアルキルジチオリン酸亜鉛を基本的に含まず、かつ０．１７５質量％を超える量の硫黄を含まず、そして潤滑油濃縮物はアルキル化及び非アルキル化の芳香族アミンおよび三核モリブデン化合物を含むことはない。
【請求項４９】
基本的に下記の成分からなる高負荷ディーゼルエンジン用の低硫黄低リン潤滑油濃縮物：
（ａ）主要量の潤滑粘度の油、
（ｂ）ホウ酸化分散剤および非ホウ酸化分散剤、
（ｃ）モリブデン含有酸化防止剤およびフェノール系酸化防止剤、
（ｄ）低過塩基性カルシウムスルホネートおよび高過塩基性カルシウムフェネート、および
（ｅ）一種もしくは二種以上の、（ｂ）に挙げたものとは異なるとの条件が付く分散剤、（ｃ）に挙げたものとは異なる酸化防止剤、（ｄ）に挙げたものとは異なるとの条件が付く清浄剤、粘度指数向上剤、無灰硫黄極圧剤、アルカリ土類金属及びアルカリ金属ホウ酸化極圧剤、モリブデン含有極圧剤、流動点降下剤、さび止め添加剤、腐食防止剤、灰分
含有摩擦緩和剤、無灰摩擦緩和剤、モリブデン含有摩擦緩和剤、金属不活性化剤、シール膨潤剤、抗乳化剤および消泡剤から選ばれる添加剤、
ただし、潤滑油組成物はジアルキルジチオリン酸亜鉛を基本的に含まず、かつ０．１７５質量％を超える量の硫黄を含まず、そして潤滑油組成物はアルキル化及び非アルキル化の芳香族アミンおよび三核モリブデン化合物を含むことはない。
【請求項５０】
（ｅ）の一種もしくは二種以上の清浄剤が、過塩基性金属サリチレートでも、また過塩基性金属カルボキシレートでもない請求項４９に記載の潤滑油濃縮物。
【請求項５１】
高負荷ディーゼルエンジンを潤滑にする方法であって、下記の成分を含む高負荷ディーゼルエンジン用低硫黄低リン潤滑油組成物を用いてエンジンを潤滑にすることからなる方法：
（ａ）主要量の潤滑粘度の油、
（ｂ）一種もしくは二種以上の分散剤、
（ｃ）一種もしくは二種以上の酸化防止剤、および
（ｄ）一種もしくは二種以上の清浄剤、
ただし、潤滑油組成物はジアルキルジチオリン酸亜鉛を基本的に含まず、かつ０．１７５質量％を超える量の硫黄を含まず、そして潤滑油組成物はアルキル化及び非アルキル化の芳香族アミンおよび三核モリブデン化合物を含むことはない。
【請求項５２】
高負荷ディーゼルエンジンを潤滑にする方法であって、基本的に下記の成分からなる高負荷ディーゼルエンジン用低硫黄低リン潤滑油組成物を用いてエンジンを潤滑にすることからなる方法：
（ａ）主要量の潤滑粘度の油、
（ｂ）ホウ酸化分散剤および非ホウ酸化分散剤、
（ｃ）モリブデン含有酸化防止剤およびフェノール系酸化防止剤、
（ｄ）低過塩基性カルシウムスルホネートおよび高過塩基性カルシウムフェネート、および
（ｅ）一種もしくは二種以上の、（ｂ）に挙げたものとは異なる分散剤、（ｃ）に挙げたものとは異なる酸化防止剤、（ｄ）に挙げたものとは異なる清浄剤、粘度指数向上剤、無灰硫黄極圧剤、アルカリ土類金属及びアルカリ金属ホウ酸化極圧剤、モリブデン含有極圧剤、流動点降下剤、さび止め添加剤、腐食防止剤、灰分含有摩擦緩和剤、無灰摩擦緩和剤、モリブデン含有摩擦緩和剤、金属不活性化剤、シール膨潤剤、抗乳化剤および消泡剤から選ばれる添加剤、
ただし、潤滑油組成物はジアルキルジチオリン酸亜鉛を基本的に含まず、かつ０．１７５質量％を超える量の硫黄を含まず、そして潤滑油組成物はアルキル化及び非アルキル化の芳香族アミンおよび三核モリブデン化合物を含むことはない。
【請求項５３】
（ｅ）の一種もしくは二種以上の清浄剤が、過塩基性金属サリチレートでも、また過塩基性金属カルボキシレートでもない請求項５２に記載の方法。